(57)【要約】【課題】記録された映像データに、付加的なデータを提供すること。【解決手段】本発明の録画映像付加情報提供システムは、映像データ（３２）と、録画された映像データ（３２）に対してネットワーク（４０）を介して供給される付加データを取得するためのデータ取得情報（３３）とが放送されることを特徴とする。録画されることで提供される付加データを特典として提供することにより、映像データが録画されることが促進される場合がある。このため、映像データが視聴される機会が増加する場合がある。【選択図】  図１
2004304405.tif 000002
【特許請求の範囲】
【請求項１】
映像データと、
録画された前記映像データに対してネットワークを介して提供される付加データを取得するためのデータ取得情報と、
が放送されることを特徴とする、
録画映像付加情報提供システム。
【請求項２】
映像データと、前記映像データに付属され、当該映像データを特定する映像データ識別子および付加データ提供装置を特定する付加データ提供装置アドレスを含むデータ取得情報と、を記憶する記憶媒体と、
前記映像データを再生し、前記付加データ提供装置アドレスを抽出して前記付加データ提供装置と通信し、付加データを取得する再生装置と、
前記再生装置とネットワークを介して接続され、前記映像データに関連付けられる前記付加データを前記再生装置に供給する前記付加データ提供装置と、
を具備する、
録画映像付加情報提供システム。
【請求項３】
前記再生装置は、
前記記憶媒体から前記映像データ識別子と前記付加データ提供装置アドレスを抽出する情報データ抽出部と、
前記付加データ提供装置アドレスで特定される前記付加データ提供装置に、前記映像データ識別子を含む情報を送信し、前記付加データ提供装置から、前記映像データ識別子に対応する前記付加データを受信する通信部と、
を備える、
請求項２に記載された録画映像付加情報提供システム。
【請求項４】
前記再生装置は、
前記付加データに含まれる前記映像に関する情報と前記映像データとを同期して再生する再生部を備える、
請求項３に記載された録画映像付加情報提供システム。
【請求項５】
前記再生装置は、
前記付加データに含まれる編集情報により前記映像データを編集して再生する再生部を備える、
請求項３に記載された録画映像付加情報提供システム。
【請求項６】
前記再生装置は、
前記映像データを再生する再生部と、
再生された前記映像データに関連付けられた前記映像データ識別子と前記付加データ提供装置アドレスを含むデータ取得情報を抽出する情報データ抽出部と、
前記付加データ提供装置アドレスで特定される前記付加データ提供装置に、前記映像データ識別子を含む情報を送信して、前記映像データ識別子に対応する前記付加データを受信する通信部と、
前記付加データに含まれるコマンドを実行する実行部と、
を備える、
請求項２に記載された録画映像付加情報提供システム。
【請求項７】
前記コマンドは、抽選の申し込み手段を含む、
請求項６に記載された録画映像付加情報提供システム。
【請求項８】
前記コマンドは、物品もしくはサービスの購入の申し込み手段を含む、
請求項６に記載された録画映像付加情報提供システム。
【請求項９】
前記再生装置は、放送電波を介して放送される前記映像データと前記データ取得情報を受信する受信部と、
前記映像データと前記データ取得情報を前記記憶媒体に記録する記録部を備える、
請求項６〜８のいずれかに記載された録画映像付加情報提供システム。
【請求項１０】
前記コマンドは、録画予約手段を含む、
請求項９に記載された録画映像付加情報提供システム。
【請求項１１】
前記データ取得情報は、前記映像データの特定の箇所が再生されることで検出されるフラグを含み、
前記情報データ抽出部は、さらに前記フラグを検出し、所定のフラグを検出した場合に、前記映像データ識別子と前記付加データ提供装置アドレスを抽出する、
請求項３〜１０のいずれかに記載された録画映像付加情報提供システム。
【請求項１２】
前記データ取得情報は、一部もしくは全部が、前記映像データの特定の箇所が再生されることで検出されるように、分散して配置され、
前記情報データ抽出部は、再生された画像から分散された前記データ取得情報を抽出し、前記分散されたデータ取得情報を統合する、
請求項３〜１０のいずれかに記載された録画映像付加情報提供システム。
【請求項１３】
前記記憶媒体は、前記再生装置に付属されるハードディスクである、
請求項２〜１２のいずれかに記載された録画映像付加情報提供システム。
【請求項１４】
前記記憶媒体は、ＤＶＤもしくはＶＣＤを含む、
請求項２〜１３のいずれかに記載された録画映像付加情報提供システム。
【請求項１５】
前記付加データ提供装置は、
所定の映像データ識別子と関連付けられた前記付加データを記憶する記憶部と、
前記再生装置から前記映像データ識別子を含む情報を受信して、当該映像データ識別子に対応する前記付加データを前記記憶部から読み出し、前記再生装置に送付するインターフェイス部と、
を備える、
請求項２〜１４のいずれかに記載された録画映像付加情報提供システム。
【請求項１６】
請求項２〜１５に記載された録画映像付加情報提供システムで使用される再生装置。
【請求項１７】
請求項２〜１５に記載された録画映像付加情報提供システムで使用される、前記映像データと前記データ取得情報が記憶された記憶媒体。
【請求項１８】
請求項２〜１５に記載された録画映像付加情報提供システムで使用される付加データ提供装置。
【請求項１９】
映像データにデータ情報を付加して送信する映像データ提供装置であって、
前記データ情報は、データ取得情報を含み、
前記データ取得情報は、前記映像データに付加される付加データを提供する付加データ提供装置を特定する付加データ提供装置アドレスを含み、
さらに、前記データ取得情報は、前記映像データが録画されること、もしくは録画された前記映像データが再生されることで有効になるように構成されている、
映像データ提供装置。
【請求項２０】
前記映像データと前記データ取得情報を放送により送信する、
請求項１９に記載された映像データ提供装置。
【請求項２１】
前記データ取得情報は、前記映像データの特定の箇所が再生されることで検出されるフラグを含み、
前記データ取得情報の一部は、前記フラグの幾つかもしくは全てが検出されることで有効となる、
請求項１９または２０に記載された映像データ提供装置。
【請求項２２】
前記データ取得情報は、一部もしくは全部が、前記映像データの特定の箇所が再生されることで検出されるように分散して配置され、
前記データ取得情報は、一部もしくは全部が、検知されることで使用が可能となる、
請求項１９または２０に記載された映像データ提供装置。
【請求項２３】
前記映像データは、当該映像データに前記付加データが提供されることを表示する表示情報を含む
請求項１９〜２２のいずれかに記載された映像データ提供装置。
【請求項２４】
映像データを記憶した映像ソフト記憶媒体であって、
前記映像データと、前記データ情報に関連付けられたデータ取得情報を記録し、
前記データ取得情報は、前記映像データに付加される付加データを提供する付加データ提供装置を特定する付加データ提供装置アドレスを含み、
さらに、前記データ取得情報は、前記映像データが再生されることで有効になるように構成されている、
映像ソフト記憶媒体。
【請求項２５】
前記データ取得情報は、前記映像データの特定の箇所が再生されることで検出されるフラグを含み、
前記データ取得情報の一部は、前記フラグの幾つかもしくは全てが検出されることで有効となる、
請求項２４に記載された映像ソフト記憶媒体。
【請求項２６】
前記データ取得情報は、一部もしくは全部が、前記映像データの特定の箇所が再生されることで検出されるように分散して配置され、
前記データ取得情報は、一部もしくは全部が、検知されることで使用が可能となる、
請求項２４に記載された映像ソフト記憶媒体。
【請求項２７】
所定の映像データ識別子と関連付けられた付加データを記憶する記憶部と、
ネットワークに接続され、前記映像データ識別子を含む情報を受信して、当該映像データ識別子に対応する前記付加データを前記記憶部から読み出し、返送するインターフェイス部と、
を備え、
前記付加データは、前記映像データ識別子で特定される映像データが再生される時に、同期して再生される前記映像データに関する情報である、
付加データ提供装置。
【請求項２８】
所定の映像データ識別子と関連付けられた付加データを記憶する記憶部と、
ネットワークに接続され、前記映像データ識別子を含む情報を受信して、当該映像データ識別子に対応する前記付加データを前記記憶部から読み出し、返送するインターフェイス部と、
を備え、
前記付加データは、前記映像データ識別子で特定される映像データを再生する再生装置で実行されるコマンドを含む、
付加データ提供装置。
【請求項２９】
前記コマンドは、前記映像データの再生制御プログラム、前記映像データの要約作成プログラム、前記映像データの抽出再生プログラム、前記映像データのメニュー作成プログラム、抽選の申し込みプログラム、物品もしくはサービスの購入の申し込みプログラム、録画予約プログラムの少なくともいずれかである、
請求項２８に記載された付加データ提供装置。
【請求項３０】
記憶媒体から、前記記憶媒体に記録されている映像データを特定する映像データ識別子と、前記映像データに付加される付加データを供給する付加データ提供装置のネットワーク上のアドレスである付加データ提供装置アドレスとを抽出する情報データ抽出部と、
前記付加データ提供装置アドレスで特定される前記付加データ提供装置に、前記映像データ識別子を含む情報を送信し、前記付加データ提供装置から、前記映像データ識別子に対応する前記付加データを受信する通信部と、
前記付加データと前記映像データを再生する再生部と、
を具備する、
再生装置。
【請求項３１】
放送電波を介して放送される前記映像データと前記映像データ識別子と前記付加データ提供装置アドレスを受信し、前記記憶媒体に記録する記録部を具備する、
請求項３０に記載された再生装置。
【請求項３２】
前記付加データに含まれるコマンドを実行するデータ実行部を具備する、
請求項３０または３１に記載された再生装置。
【請求項３３】
前記コマンドは、前記映像データの再生制御プログラム、前記映像データの要約作成プログラム、前記映像データの抽出再生プログラム、前記映像データのメニュー作成プログラム、抽選の申し込みプログラム、物品もしくはサービスの購入の申し込みプログラム、録画予約プログラムの少なくともいずれかである、
請求項３２に記載された再生装置。
【請求項３４】
放送局が、映像データとデータ取得情報を放送するステップと、
前記データ取得情報は、前記映像データに付加される付加データを提供する付加データ提供装置を特定する付加データ提供装置アドレスを含み、
受信記録装置が前記映像データと前記データ取得情報を受信して記録するステップと、
前記受信記録装置が、前記データ取得情報から前記付加データ提供装置アドレスを抽出し、ネットワークを通じて前記付加データ提供装置にアクセスするステップと、
前記付加データ提供装置が、前記付加データを前記受信記録装置に送信するステップと、
前記受信記録装置が、前記付加データを受信して前記映像データと同期して再生する、もしくは、前記付加データに含まれるコマンドにより前記映像データを加工するステップと、
を含む、
録画映像付加情報提供方法。
【請求項３５】
さらに、前記付加データを作成もしくは送信することをサポートするスポンサのスポンサー端末と、前記付加データ提供装置がネットワークを介して接続されるステップと、
前記付加データ提供装置が、前記付加データを前記受信記録装置に送信した数に基づき、前記スポンサ端末に課金情報を送信するステップと、
を含む、
請求項３４に記載された録画映像付加情報提供方法。
【請求項３６】
さらに、前記映像データを作成もしくは放送することをサポートするスポンサのスポンサー端末と、前記付加データ提供装置と、前記放送局の放送局端末がネットワークを介して接続されるステップと、
前記付加データ提供装置が、前記付加データを前記受信記録装置に送信した数に基づき、前記スポンサ端末に課金情報を送信するステップと、
前記課金情報に基づき、前記スポンサ端末から、前記放送局端末に課金されるステップと、
を含む、
請求項３４に記載された録画映像付加情報提供方法。
【請求項３７】
前記映像データは、当該映像データに前記付加データが提供されることを表示する表示情報を含み、
前記映像データが表示されるときに、前記表示情報が表示されるステップを含む、
請求項３４〜３６のいずれかに録画映像付加情報提供方法。
【発明の詳細な説明】
【０００１】
【発明の属する技術分野】
本発明は、情報提供システムに関し、特に記憶媒体に記録された映像に対して付加データを提供する録画映像付加情報提供システム関する。
【０００２】
【従来の技術】
ＢＳデジタル放送が開始され、新たな放送形態としてデータ放送が行われている。特に番組連動型のデータ放送では、番組映像との同時性を利用し、その番組映像の紹介やあらすじの紹介、映像内のオブジェクト（対象）の情報提供、クイズ番組への参加、ショッピング番組の商品申し込みに代表されるデータコンテンツの提供が行われている。しかしながら、番組連動型のため、データコンテンツを作成する上で、番組映像との同時性を意識する必要があり、その提供内容が限られたものになってしまう場合がある。また、あくまで番組映像が主体であるため、凝った内容や複雑な内容でデータコンテンツを作成しても、視聴者がデータコンテンツを十分に利用できない場合がある。
【０００３】
ハードディスクやＤＶＤなどのデジタル記憶媒体を使用すれば、番組映像とデータコンテンツを同時に記憶することができる。しかし、番組連動型のデータ放送を記憶して視聴しようとした場合、データコンテンツの内容が実放送時間での番組と同時性を意識しているため、データコンテンツが再生時には無効なものとなってしまう場合がある。具体的には、再生時には、番組参加型のデータコンテンツは使用できない。記憶媒体に記憶しても有効なデータコンテンツの作成が望まれる。
【０００４】
さらに、スポーツ番組などの中継放送では、リアルタイムにデータコンテンツを映像に付属することができない場合がある。さらに、映像中の動きの速いオブジェクト（対象）にデータコンテンツを付属できない場合、もしくは、視聴者がオブジェクトを選択できずデータコンテンツを利用できない場合がある。もしくは、データコンテンツを見るために視聴者が番組映像に集中できない場合がある。
【０００５】
さらに、生中継番組では、映像が編集されておらず、視聴者にとって無駄な部分がある場合がある。さらに、リアルタイムに行われる解説は、十分でない場合がある。
【０００６】
データ放送において、記録されることを意識したデータコンテンツの作成が望まれる。さらに、記録されることで付加価値が与えられるデータコンテンツの作成が望まれる。
なお、記録された番組映像に付加されるデータコンテンツは、放送データと同時に放送される必要が無い場合がある。
さらに、記録された番組映像が再生される時期に合わせたデータコンテンツが提供されることが望まれる。
データ放送は、記録されることで、その放送が視聴される機会が増加し、その放送に含まれるコマーシャルなどの効果が増加することが好ましい。
さらに、その記録されたデータ放送が視聴された時に、記録されているコマーシャル、商品販売情報、抽選募集の情報などの情報が古くなる場合がある。このため、記録された放送が視聴される時に対応したコマーシャルなどの情報が提供されることが望まれる。
【０００７】
また、映像が記録された記憶媒体が販売されている。ＤＶＤに例示される映像を記録した記憶媒体には、編集情報が含まれる場合がある。具体的にはチャプターポイント情報などの編集データを含む場合がある。さらに、特典としてサービス映像などを含む場合がある。
しかし、基本的には、ＤＶＤ内に記録されている映像やデータ以外は提供されない。ＤＶＤを再生する時に応じた、タイムリーなサービス映像やデータコンテンツを提供することが望まれる。
【０００８】
ＣＭデータを記録再生する記録再生装置であって、ＣＭのビデオ・データとＣＭに関する情報データを取得するデータ取得手段と、ＣＭのビデオ・データとＣＭに関する情報データを蓄積するデータ蓄積手段と、蓄積されているＣＭビデオ・データを検索して選択的に再生するＣＭデータ再生手段と、視聴者がＣＭのビデオ・データまたは情報データを利用した履歴を保管する利用履歴保管手段と、を具備することを特徴とするＣＭ記録再生装置が開示されている。さらに、外部ネットワークと接続するための通信手段を備え、ＣＭ詳細情報提示手段はＣＭで広告・宣伝される商品やサービスを紹介するサイトへのリンク情報を提示し、該リンク情報の選択動作に応答して、前記通信手段によって該当するサイトへアクセスする、ことを特徴とするＣＭ記録再生装置が開示されている。（例えば特許文献１）
【０００９】
【特許文献１】
特開２００２−２１８３７７号公報
【００１０】
【発明が解決しようとする課題】
本発明の目的は、記録された映像に、付加的なデータを提供することができる録画映像付加情報提供システムを提供することにある。
本発明のほかの目的は、再生された時に合わせて、記録された映像に付加的なデータを提供することができる録画映像付加情報提供システムを提供することにある。
本発明のさらに他の目的は、放送された映像が記録された場合に付加的なデータが提供されることで、放送された映像が記録されることを促進することができる録画映像付加情報提供システムを提供することにある。
【００１１】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１２】
本発明の録画映像付加情報提供システムは、映像データ（３２）と、録画された映像データ（３２）に対してネットワーク（４０）を介して提供される付加データを取得するためのデータ取得情報（３３）とが放送されることを特徴とする。
録画されることで提供される付加データを特典として提供することにより、映像データが録画されることが促進される場合がある。このため、映像データが視聴される機会が増加する場合がある。
【００１３】
本発明の録画映像付加情報提供システムは、記憶媒体（１３、５３）と、再生装置（１０、５０）と、付加データ提供装置（２０）と、を具備する。
記憶媒体（１３、５３）は、映像データ（３２）と、映像データ（３２）に付属され、当該映像データ（３２）を特定する映像データ識別子（３４）および付加データ提供装置（２０）を特定する付加データ提供装置アドレス（３５）を含むデータ取得情報（３３）と、を記憶する。
再生装置（１０、５０）は、映像データ（３２）を再生し、付加データ提供装置アドレス（３５）を抽出して付加データ提供装置（２０）と通信し、付加データを取得する。
付加データ提供装置（２０）は、再生装置（１０、５０）とネットワーク（４０）を介して接続され、映像データ（３２）に関連付けられる付加データを再生装置（１０、５０）に供給する。
付加データが、別途供給されることで、付加データ供給者は好適な付加データを供給することができる。映像データの視聴者は、タイムリーな付加データを得ることができる。
【００１４】
本発明の録画映像付加情報提供システムにおける再生装置（１０、５０）は、記憶媒体（１３、５３）から映像データ識別子（３４）と付加データ提供装置アドレス（３５）を抽出する情報データ抽出部（１４、５４）と、付加データ提供装置アドレス（３５）で特定される付加データ提供装置（２０）に、映像データ識別子（３４）を含む情報を送信し、付加データ提供装置（２０）から、映像データ識別子（３４）に対応する付加データを受信する通信部（１５、５５）と、を備える。
【００１５】
本発明の録画映像付加情報提供システムにおける再生装置（１０、５０）は、付加データに含まれる映像に関する情報と映像データ（３２）とを同期して再生する再生部（１８、５８）を備える。
再生される時に有効な付加データを再生できることにより、視聴者にとって、映像データがより有効になる場合がある。さらに、より詳細な付加データを供給できる場合がある。
【００１６】
本発明の録画映像付加情報提供システムにおける再生装置（５０）は、付加データに含まれる編集情報により映像データ（３２）を編集して再生する再生部（５８）を備える。
付加データとして、その映像データに合わせた編集情報を送付できるため、視聴者にとって、映像データがより魅力のある映像データに編集される場合がある。
【００１７】
本発明の録画映像付加情報提供システムにおける再生装置（５０）は、映像データ（３２）を再生する再生部（５８）と、再生された映像データ（３２）に関連付けられた映像データ識別子（３４）と付加データ提供装置アドレス（３５）を含むデータ取得情報（３３）を抽出する情報データ抽出部（５４）と、付加データ提供装置アドレス（３５）で特定される付加データ提供装置（２０）に、映像データ識別子（３４）を含む情報を送信して、映像データ識別子（３４）に対応する付加データを受信する通信部（５５）と、付加データに含まれるコマンドを実行する実行部（６０）と、を備える。
【００１８】
上記コマンドは、抽選の申し込み手段を含む場合がある。
上記コマンドは、物品もしくはサービスの購入の申し込み手段を含む場合がある。
付加データとして、視聴者に好まれる情報を供給することにより、映像データを見る意欲が向上され、映像データが視聴者に視聴されやすくなる。
【００１９】
本発明の録画映像付加情報提供システムにおける再生装置（１０、５０）は、放送電波を介して放送される映像データ（３２）とデータ取得情報（３３）を受信する受信部（１１、５１）と、映像データ（３２）とデータ取得情報（３３）を記憶媒体（１３、５３）に記録する記録部を備える。
データ放送などに、録画されると得られる特典として付加データを供給することにより、視聴者がデータ放送を記憶媒体（１３）に記録することが促進され、放送を見る視聴者を増やすことができる。さらに、視聴者は自在に再生して映像データを視聴できるため、付加データとして、付加できる情報の種類が増加する。さらに、録画される番組であるため、放送時間の制限が少ない場合がある。
【００２０】
さらに、上記コマンドは、録画予約手段を含む。
付加データが録画予約を含み、データ実行部（６０）で実行されることにより、視聴者は録画が容易となる。さらに、録画忘れを防止し、所定の番組が録画される確率が上昇する。
【００２１】
本発明の録画映像付加情報提供システムにおいて、データ取得情報（３３）は、映像データ（３２）の特定の箇所が再生されることで検出されるフラグを含む。
情報データ抽出部（１４、５４）は、さらにフラグを検出し、所定のフラグを検出した場合に、映像データ識別子（３４）と付加データ提供装置アドレス（３５）を抽出する。
再生が行われたことを確認するためのフラグを検知して、付加データが提供されることにより、映像データが視聴されたことに対応して、特典として付加データを提供できる。このため、映像データが視聴される確率が増加する。
【００２２】
本発明の録画映像付加情報提供システムにおいて、データ取得情報（３３）は、一部もしくは全部が、映像データ（３２）の特定の箇所が再生されることで検出されるように、分散して配置される。
情報データ抽出部（１４、５４）は、再生された画像から分散されたデータ取得情報（３３）を抽出し、分散されたデータ取得情報（３３）を統合する。
再生が行われたことを確認するためにデータ取得情報が分散配置され、検知されることで、映像データが視聴されたことに対応して、特典として付加データを提供できる。このため、映像データが視聴される確率が増加する。
【００２３】
本発明の録画映像付加情報提供システムにおいて、記憶媒体（１３、５３）は、再生装置（１０、５０）に付属されるハードディスクである場合がある。記憶媒体としてはデジタル情報を記録できる媒体が使用可能である。
【００２４】
本発明の録画映像付加情報提供システムにおいて、記憶媒体（１３、５３）は、ＤＶＤもしくはＶＣＤを含む場合がある。記憶媒体としてはデジタル情報を記録できる媒体が使用可能である。
【００２５】
本発明の録画映像付加情報提供システムにおいて、付加データ提供装置（２０）は、所定の映像データ識別子（３４）と関連付けられた付加データを記憶する記憶部と、再生装置（１０、５０）から映像データ識別子（３４）を含む情報を受信して、当該映像データ識別子（３４）に対応する付加データを記憶部（２２）から読み出し、再生装置（１０、５０）に送付するインターフェイス部（２１）と、を備える。
付加データ提供装置（２０）から提供される付加データは、映像データが作成もしくは記録された時期に関係なく変更できるため、時期の制限がある情報でも、再生される時期に提供できる場合がある。このため、情報提供者および視聴者にとって有効な情報が提供できる場合がある。
【００２６】
本発明の録画映像付加情報提供システムで使用される再生装置（１０、５０）が、供給される場合がある。
【００２７】
本発明の録画映像付加情報提供システムで使用される、映像データ（３２）とデータ取得情報（３３）が記憶された記憶媒体（１３、５３）が供給される場合がある。記憶媒体（１３、５３）は、ＤＶＤもしくはＶＣＤの場合がある。
【００２８】
本発明の録画映像付加情報提供システムで使用される付加データ提供装置（２０）がネットワーク（４０）上で使用される場合がある。
【００２９】
本発明の映像データ提供装置（３０）は、映像データ（３２）にデータ情報を付加して送信する映像データ提供装置（３０）であって、データ情報は、データ取得情報（３３）を含み、データ取得情報（３３）は、映像データ（３２）に付加される付加データを提供する付加データ提供装置（２０）を特定する付加データ提供装置アドレス（３５）を含み、さらに、データ取得情報（３３）は、映像データ（３２）が録画されること、もしくは録画された映像データ（３２）が再生されることで有効になるように構成されている。
【００３０】
本発明の映像データ提供装置（３０）は、映像データ（３２）とデータ取得情報（３３）を放送により送信する。
【００３１】
本発明の映像データ提供装置（３０）が送信するデータ取得情報（３３）は、映像データ（３２）の特定の箇所が再生されることで検出されるフラグを含み、データ取得情報（３３）の一部は、フラグの幾つかもしくは全てが検出されることで有効となる。
【００３２】
本発明の映像データ提供装置（３０）が送信するデータ取得情報（３３）は、一部もしくは全部が、映像データ（３２）の特定の箇所が再生されることで検出されるように分散して配置され、データ取得情報（３３）は、一部もしくは全部が、検知されることで使用が可能となる。
【００３３】
本発明の映像データ提供装置（３０）が送信する映像データは、当該映像データに付加データが提供されることを表示する表示情報を含む。
映像データに付加データが提供されることを表示して、視聴者に知らせることにより、視聴者が映像データを録画することを促進することができる。
映像データの始めに、表示情報として付加データが提供されることが表示されることが好ましい。
【００３４】
本発明の映像ソフト記憶媒体（１３、５３）は、映像データ（３２）を記憶した映像ソフト記憶媒体（１３、５３）であって、映像データ（３２）と、データ情報に関連付けられたデータ取得情報（３３）を記録する。
データ取得情報（３３）は、映像データ（３２）に付加される付加データを提供する付加データ提供装置（２０）を特定する付加データ提供装置アドレス（３５）を含む。
さらに、データ取得情報（３３）は、映像データ（３２）が再生されることで有効になるように構成されている。
【００３５】
本発明の映像ソフト記憶媒体（１３、５３）が記憶する、データ取得情報（３３）は、映像データ（３２）の特定の箇所が再生されることで検出されるフラグを含む。
データ取得情報（３３）の一部は、フラグの幾つかもしくは全てが検出されることで有効となる。
【００３６】
本発明の映像ソフト記憶媒体（１３、５３）が記憶するデータ取得情報（３３）は、一部もしくは全部が、映像データ（３２）の特定の箇所が再生されることで検出されるように分散して配置される。
データ取得情報（３３）は、一部もしくは全部が、検知されることで使用が可能となる。
【００３７】
本発明の付加データ提供装置（２０）は、所定の映像データ識別子（３４）と関連付けられた付加データを記憶する記憶部（２２）と、ネットワーク（４０）に接続され、映像データ識別子（３４）を含む情報を受信して、当該映像データ識別子（３４）に対応する付加データを記憶部から読み出し、返送するインターフェイス部（２１）と、を備える。
付加データは、映像データ識別子（３４）で特定される映像データ（３２）が再生される時に、同期して再生される映像データ（３２）に関する情報である。
【００３８】
本発明の付加データ提供装置（２０）は、所定の映像データ識別子（３４）と関連付けられた付加データを記憶する記憶部（２２）と、ネットワーク（４０）に接続され、映像データ識別子（３４）を含む情報を受信して、当該映像データ識別子（３４）に対応する付加データを記憶部（２２）から読み出し、返送するインターフェイス部（２１）と、を備える。
付加データは、映像データ識別子（３４）で特定される映像データ（３２）を再生する再生装置（１０、５０）で実行されるコマンドを含む。
【００３９】
上記コマンドは、映像データ（３２）の再生制御プログラム、映像データ（３２）の要約作成プログラム、映像データ（３２）の抽出再生プログラム、映像データ（３２）のメニュー作成プログラム、抽選の申し込みプログラム、物品もしくはサービスの購入の申し込みプログラム、録画予約プログラムの少なくともいずれかである。
【００４０】
本発明の再生装置（１０、５０）は、情報データ抽出部（１４、５４）と、通信部（１５、５５）と、再生部（１８、５８）とをを具備する。
情報データ抽出部（１４、５４）は、記憶媒体（１３、５３）から、記憶媒体（１３、５３）に記録されている映像データ（３２）を特定する映像データ識別子（３４）と、映像データ（３２）に付加される付加データを供給する付加データ提供装置（２０）のネットワーク（４０）上のアドレスである付加データ提供装置アドレス（３５）とを抽出する。
通信部（１５、５５）は、付加データ提供装置アドレス（３５）で特定される付加データ提供装置（２０）に、映像データ識別子（３４）を含む情報を送信し、付加データ提供装置（２０）から、映像データ識別子（３４）に対応する付加データを受信する。
再生部（１８、５８）は、付加データと映像データ（３２）を再生する。
付加データが、別途供給されることで、付加データ供給者は好適な付加データを供給することができる。映像データの視聴者は、タイムリーな（適時）付加データを得ることができる。
【００４１】
本発明の再生装置（１０、５０）は、さらに、放送電波を介して放送される映像データ（３２）と映像データ識別子（３４）と付加データ提供装置アドレス（３５）を受信し、記憶媒体（１３、５３）に記録する記録部（１２）を具備する。
データ放送などに、録画されると得られる特典として付加データを供給することにより、視聴者がデータ放送を記憶媒体（１３、５３）に記録することが促進され、放送を見る視聴者を増やすことができる。さらに、自在に再生して映像データを視聴できるため、付加データとして、付加できる情報の種類が増加する。さらに、録画される番組であるため、放送時間の制限が少ない。
【００４２】
本発明の再生装置（１０、５０）は、さらに、付加データに含まれるコマンドを実行するデータ実行部（６０）を具備する。
付加データとして、情報だけでなくコマンドを含むプログラムを付加することも可能である。
【００４３】
上記コマンドは、映像データ（３２）の再生制御プログラム、映像データ（３２）の要約作成プログラム、映像データ（３２）の抽出再生プログラム、映像データ（３２）のメニュー作成プログラム、抽選の申し込みプログラム、物品もしくはサービスの購入の申し込みプログラム、録画予約プログラムの少なくともいずれかである。
付加データとして、視聴者に好まれる情報を供給することにより、映像データを見る意欲もしくは映像データを購買する意欲が促進され、映像データが視聴者に視聴されやすくなる。
【００４４】
本発明の録画映像付加情報提供方法は以下のステップを含む。
放送局（３０）が、映像データ（３２）とデータ取得情報（３３）を放送するステップ。
データ取得情報（３３）は、映像データ（３２）に付加される付加データを提供する付加データ提供装置（２０）を特定する付加データ提供装置アドレス（３５）を含む。
受信記録装置が映像データ（３２）とデータ取得情報（３３）を受信して記録するステップ。
受信記録装置（１０、５０）が、データ取得情報（３３）から付加データ提供装置アドレス（３５）を抽出し、ネットワーク（４０）を通じて付加データ提供装置（２０）にアクセスするステップ。
付加データ提供装置（２０）が、付加データを受信記録装置（１０、５０）に送信するステップ。
受信記録装置（１０、５０）が、付加データを受信して映像データ（３２）と同期して再生する、もしくは、付加データに含まれるコマンドにより映像データ（３２）を加工するステップ。
【００４５】
本発明の録画映像付加情報提供方法は、さらに以下のステップを含む。
付加データを作成もしくは送信することをサポートするスポンサのスポンサー端末（１４０、２４０）と、付加データ提供装置（２０）がネットワーク（４０）を介して接続されるステップ。
付加データ提供装置（２０）が、付加データを受信記録装置（１１０、２１０）に送信した数に基づき、スポンサ端末（１４０、２４０）に課金情報を送信するステップ。
【００４６】
本発明の録画映像付加情報提供方法は、さらに以下のステップを含む。
映像データ（３２）を作成もしくは放送することをサポートするスポンサのスポンサー端末（１４０、２４０）と、付加データ提供装置（２０）と、放送局の放送局端末（１３０、２３０）がネットワーク（４０）を介して接続されるステップ。
付加データ提供装置（２０）が、付加データを受信記録装置（１１０、２１０）に送信した数に基づき、スポンサ端末（１４０、２４０）に課金情報を送信するステップ。
課金情報に基づき、スポンサ端末（１４０、２４０）から、放送局端末（１３０、２３０）に課金されるステップ。
【００４７】
映像データは、当該映像データに付加データが提供されることを表示する表示情報を含む。
本発明の録画映像付加情報提供方法は、さらに以下のステップを含む。
受信された映像データが表示されるときに、付加データが提供されることを示す表示情報が表示されるステップ。
映像データに付加データが提供されること表示して、視聴者に知らせることにより、視聴者が映像データを録画することを促進することができる。
映像データ（番組）の全体を録画するように、映像データ（番組）の冒頭に、付加データが提供されることを示す表示情報が表示されることが好ましい。
【００４８】
【発明の実施の形態】
添付図面を参照して、本発明による録画映像付加情報提供システムの実施の形態を以下に説明する。
【００４９】
（実施の形態１）
図１は、実施の形態１における録画映像付加情報提供システムの構成を示す。
本実施の形態１における録画映像付加情報提供システムは、放送局３０と、受信録画再生装置１０と、付加データ提供装置２０を含む。受信録画再生装置１０と付加データ提供装置２０は、ネットワーク４０で双方向通信が可能に接続されている。
【００５０】
放送局３０は、番組映像とデータ情報を含むデータ放送を放送するテレビ放送局に例示される。放送局３０は、ケーブルを使用して番組を放送するケーブルテレビ局も含む。本実施例の放送局３０が放送するデータ情報は、データ取得情報を含む。
【００５１】
受信録画再生装置１０は、データ放送を受信、記録、再生をすることができる。さらに、受信録画再生装置１０は、受信したデータ放送からデータ取得情報を抽出し、ネットワーク４０を介して、付加データ提供装置２０から付加データを取得することができる。受信録画再生装置１０は、記録したデータ放送に含まれる番組映像を再生するときに、付加データを番組映像に付加して再生することができる。
【００５２】
受信録画再生装置１０は、放送受信部（チューナ）１１、番組記録部１２、録画番組を記憶する第一記憶部１３、録画内容解析部１４、通信部１５、データ記録部１６、付加データを記憶する第二記憶部１７、同期再生部１８、表示部１９を具備する。
【００５３】
放送受信部（チューナ）１１は、放送局３０から放送されたデータ放送を受信する。データ放送は、番組映像とデータ取得情報を含む。データ放送に含まれるデータ構成３１が、図３に示される。データ放送は、番組映像（領域）３２とデータ取得情報（領域）３３を含む。なお、番組映像は映像データと音声データを含む。データ取得情報３３は、その番組を特定する、もしくは所定の映像を特定する番組識別子３４と、付加データ提供装置アドレス３５を含む。付加データ提供装置アドレス３５は、その番組もしくは所定の映像に対して、付加データを供給する付加データ提供装置２０のネットワーク４０上のアドレスを含む。
【００５４】
番組記録部１２は、番組映像３２とデータ取得情報３３を第一記憶部１３に記録する。
第一記憶部１３は、番組映像３２とデータ取得情報３３を記憶する。第一記憶部１３は、ハードディスクもしくはＤＶＤに代表される記憶媒体である。番組記録部１２は、ハードディスクもしくはＤＶＤに、番組映像３２とデータ取得情報３３を合わせて記録することができる。
【００５５】
録画内容解析部１４は、第一記憶部１３に記憶されたデータ放送からデータ取得情報３３を抽出する。データ取得情報３３は、番組映像３２もしくは所定の映像を特定する番組識別子３４と付加データ提供装置アドレス３５を含む。
通信部１５は、番組識別子３４と付加データ提供装置アドレス３５と自らのアドレスを含む情報を、付加データ提供装置２０に送信し、付加データ提供装置２０から付加データを受信する。付加データは、番組識別子３４と関連付けられている。
【００５６】
データ記録部１６は、付加データを第二記憶部１７に記録する。
第二記憶部１７は、付加データを記憶する。第二記憶部１７は、ハードディスクに例示される。
同期再生部１８は、第一記憶部１３に記憶された番組映像３２を再生すると共に、第二記憶部に記憶された付加データを読み出して、同期して再生する。付加データの種類により再生方法は異なる場合がある。付加データの内容については後述される。
表示部１９は、同期再生部１８で再生された映像もしくはデータを表示する。表示部１９は、モニターに例示される。
【００５７】
付加データ提供装置２０は、ネットワーク４０に接続された情報提供サーバに例示される。付加データ提供装置２０は、インターフェイス部２１と付加データ記憶部２２を備える。インターフェイス部２１は、受信録画再生装置１０から、番組識別子を受信して、その番組識別子に対応する付加データを付加データ記憶部２２から検索して、受信録画再生装置１０へ送信する。
付加データ記憶部２２は、ハードディスクに例示され、付加データを記憶する。
付加データは、番組識別子と関連付けて記憶されている。なお、付加データ提供者は、付加データ提供装置２０に記憶される付加データを変更することで、提供する付加データを変更することができる。付加データを変更できることは、時期や期間が限定される付加データを提供する場合に好ましい。
【００５８】
図２を参照して、録画映像付加情報提供システムの動作のフローが説明される。
フローは付加データ取得段階（Ｓａ）と再生段階（Ｓｂ）を含む。
放送受信部１１は、データ放送を受信して番組記録部１２に送出する。番組記録部は、第一記憶部にデータ放送の番組を録画する（Ｓａ１）。録画内容解析部１４は、番組の録画完了もしくは再生命令に応答して、録画内容を解析する（Ｓａ２）。
【００５９】
録画内容解析部１４は、解析した録画内容がデータ取得情報３３を含むか判断する（Ｓａ３）。データ取得情報３３を含まない場合は、データ取得段階（Ｓａ）が終了して待機状態となる。データ取得情報３３を含む場合、録画内容解析部１４は、データ取得情報３３に含まれる番組識別子３４と付加データ提供装置アドレス３５を抽出し（Ｓａ４）、通信部１５に送出する。
【００６０】
通信部１５は、付加データ提供装置アドレス３５で特定される付加データ提供装置２０に、番組識別子３４と自らのアドレスを含むデータを送信する。付加データ提供装置２０は、番組識別子３４に対応する付加データを検索し、通信部１５に送信する。通信部１５は、付加データを受信する（Ｓａ６）。通信部１５は、付加データをデータ記録部１６に送出する。データ記録部１６は、第二記憶部１７に付加データを記録する（Ｓａ７）。
この状態で、データ取得段階（Ｓａ）が終了して待機状態となる。
【００６１】
なお、録画内容解析部１４が、解析を行うのは番組が録画された後、録画の完了、使用者による付加データ取得命令、もしくは番組映像の再生命令に対応して、行われる場合がある。再生命令により解析が行われる場合は、データ放送の前半にデータ取得情報が付加され、番組映像の再生前もしくは早い段階で解析されることが好ましい。この場合、付加データの取得まで映像の再生が行われない場合、付加データ取得まで所定の映像が再生される場合、そのまま番組映像が再生され付加データ取得後にリンクされる場合がある。
【００６２】
同期再生部１８が、視聴者により入力される再生命令を認識する（Ｓｂ１）。
同期再生部１８は、再生する番組映像に対応する付加データが、第二記憶部１７に記憶されているか確認する（Ｓｂ２）。
付加データがある場合、付加データを番組映像と同期して再生する（Ｓｂ３）。同期再生部１８は、付加データにより番組映像を編集・加工して再生する場合がある。付加データが無い場合、再生命令に対応する番組映像を再生する（Ｓｂ４）。
【００６３】
次に、付加データが説明される。付加データは、番組ごともしくは所定の映像ごとに作成される。
ニュース番組の場合、付加データは、放送中に伝えきれなかった情報や、さらに細やかな情報を再生される番組映像にリンクして視聴者に与えることが可能である。そのほか、付加データとして、要約パラメータデータを提供することで、視聴者はそのパラメータを元にした番組映像の要約再生を視聴することができる。もしくは、番組内容のメニューと番組内の放送内容を考慮した編集プログラムを含む付加データが作成され、供給されることで、視聴者は、メニューから見たい部分を選択して見ることができる。
【００６４】
連続ドラマの場合、複数回分を録画すると、付加データとして特典付きの画像やデータのダウンロードができるように構成することができる。さらに、付加データとして、特殊再生パラメータを制作し提供することにより、視聴者はメニュー再生、要約再生、特定の出演者のみを表示させる再生をすることができる。
もしくは、連続ドラマの初回を録画することで、自動的に次回の番組を録画するプログラムを提供することができる。連続ドラマの場合は、初回の視聴率を上げることが全体の視聴率を上げることになるため、初回を都合により見ることができない視聴者に、特典を付けて録画してもらうことは好ましい。
【００６５】
スポーツ番組の場合、付加データとして各プレーに対して詳細なデータや解説が作成される。これらのデータや解説が提供されることで、視聴者はスロー再生や一時停止しながら、各プレーの詳細なデータや解説を見ることができる。データや解説はプレー後に作成されるので、詳細で正確なものが作成可能である。さらに、視聴者は、スローや停止、巻き戻しなどにより、番組映像を自在に再生できるので、十分に見たいデータや解説を見ることができる。また、特殊再生パラメータを制作し提供することにより、視聴者は要約（ハイライト）再生や、ファインプレーのみの再生、特定のチームの攻撃もしくは守備のみの再生、特定の選手のみを表示させる再生をすることができる。スポーツの生中継番組では、視聴者が見る必要が無い部分が含まれる場合があるため、要約（ハイライト）再生は特に好ましい。
【００６６】
音楽番組の場合、付加データとして所定の歌手のコンサート情報やＣＤ発売情報が作成され、提供される場合がある。コンサート情報やＣＤ発売情報は、録画時（放送時）と再生時では異なる場合がある。このため付加データは、再生に合わせて提供されることが好ましい。具体的には、受信録画再生装置１０は、番組映像が再生されることにより特定の付加データ提供装置２０からデータを取得し、番組映像再生後もしくは再生中に表示する。付加データ提供装置２０が提供する付加データは随時変更することができるため、タイムリーなデータを提供することができる。
さらに、上記のように要約再生、特定の歌手の再生、メニュー再生も可能である。
さらに、付加データとしてカラオケデータの提供や歌詞データの提供も可能である。
【００６７】
旅行、紀行系番組の場合、「裏情報」と称して録画番組では取り上げられていない観光地情報や施設情報を付加データとして提供することができる。さらに、付加データとして、番組の宿情報や予約用のコンテンツを配信することもできる。
宿情報や予約用のコンテンツは時期により内容が異なる場合があるので、付加データは、再生に合わせて提供されることが好ましい。
【００６８】
テレビショッピングの場合、付加データとして商品に関する詳細情報や値引き情報を、録画した視聴者に特典として提供する。さらに、視聴者が再生時に、特定の商品の現在の取り扱い状況に関する付加データを取得することもできる。特典を付けることにより、視聴者が番組を見る機会が増加し、商品の認知度が向上することで商品の販売数向上につなげることができる。
【００６９】
映画番組の場合、付加データとしてチャプターポイントのデータが提供される場合がある。録画された映画番組にチャプターポイントが付加されることにより、視聴者は映画が見やすくなる。もしくは、再生時に合わせて、付加データとして次回作の紹介やＤＶＤの販売情報が提供される場合がある。次回作の紹介やＤＶＤの販売情報は、時期が限定される場合があるので、再生時に合わせて付加データが提供されることは好ましい。
【００７０】
ＣＭ映像に対して付加データが供給される場合、再生時期に合わせて付加データとして別のＣＭ映像を供給することにより、スポンサは好適なＣＭ映像を視聴者に提供することができる。さらに、再生時に合わせて、抽選の募集用のコンテンツや、商品販売のコンテンツを提供することができる。抽選の募集や商品の販売は、時期が限定される場合があるので、再生時に合わせて付加データが提供されることは好ましい。
【００７１】
有効な、有用な、もしくは魅力的な付加データを供給することにより、視聴者はデータ放送番組をより多く録画する。このため、番組の視聴者を増やすことができる。さらに、録画するための番組の放送時間は、深夜や早朝などの時間帯でもよいため、放送の電波領域や放送装置の有効利用が計れる。さらに、深夜や早朝などの時間帯は、番組の放送料金が安いため、スポンサは出費を抑えることができる。
【００７２】
なお、放送局は、付加データが付加される番組を放送する場合、番組の録画を促すように、番組表に付加データがあることを表示することが好ましい。
さらに、視聴者が映像データを放送と同時に視聴する場合、視聴者に付加データが提供されることを知らせるために、映像データ（番組）の始めに、付加データが提供されること知らせる表示をすることが好ましい。さらに、番組中にも、所定の記号やテロップを表示して、付加データが提供されることを表示することが好ましい。この場合、付加データが提供されることを知らせる表示情報を含む映像データが放送される。
放送と同時に映像データを視聴している視聴者に、付加データが提供されることを知らせることにより、視聴者が映像データを録画することを促進することができる
【００７３】
さらに、付加データを有料で提供することで、付加データ制作・供給ビジネスが成立する。なお、視聴者へ有料で付加データを提供する場合、スポンサがコマーシャルを含む付加データを作成して提供する場合がある。
【００７４】
さらに、受信録画再生装置１０は、放送受信機能、録画機能を有さず、所定の記憶媒体を再生する機能を有する再生装置でもよい。具体的には、市販の映像用ＤＶＤソフトに例示される記憶媒体に映像とデータ取得情報を記録する。このＤＶＤソフトが再生されることで、購買者は付加データを取得する。購買者が付加データを取得することで番組が録画される場合と同様の効果を発生させることができる。
このように、市販の映像用ＤＶＤソフトに例示される記憶媒体に、期間を限定して特別な付加データを与えれば、記憶媒体の期間限定の販売促進活動が容易になる。さらに、付加データ提供者は、再生時期に合った付加データを提供することができる場合がある。さらに、魅力的な付加データを取得できる記憶媒体（ＤＶＤソフト）は、購買者の購買意欲を増大させる。
【００７５】
（実施の形態２）
次に図４を参照して、実施の形態２における録画映像付加情報提供システムの構成が説明される。
本実施の形態１における録画映像付加情報提供システムは、放送局３０と、受信録画再生装置５０と、付加データ提供装置２０を含む。受信録画再生装置５０と付加データ提供装置２０は、ネットワーク４０で双方向通信が可能に接続されている。
放送局３０、付加データ提供装置２０は、ネットワーク４０は実施の形態１と同様であるので、同じ符号が付され説明は省略される。
【００７６】
受信録画再生装置５０は、データ放送を受信し記録し、再生することができる。さらに、受信録画再生装置５０は、受信し録画したデータ放送からデータ取得情報を抽出し、ネットワーク４０を介して、付加データ提供装置２０から付加データを取得することができる。受信録画再生装置５０は、付加データに含まれるプログラムやコマンドを実行し、番組再生の制御、録画の編集、録画の予約の実行をすることができる。
【００７７】
受信録画再生装置５０は、放送受信部（チューナ）５１、番組記録部５２、録画番組を記憶する第一記憶部５３、再生内容解析部５４、通信部５５、データ記録部５６、付加データを記憶する第二記憶部５７、再生部５８、表示部５９、データ実行部６０、録画編集部６１、録画予約部６２を具備する。
【００７８】
放送受信部（チューナ）５１は、放送局３０から放送されたデータ放送を受信する。データ放送は、番組映像とデータ取得情報を含む。データ放送のデータ構成３１は、図３で説明された上記と同様であるので説明は省略される。
【００７９】
番組記録部５２は、番組映像３２とデータ取得情報３３を第一記憶部５３に記録する。
第一記憶部５３は、番組映像３２とデータ取得情報３３を記憶する。第一記憶部５３は、ハードディスクもしくはＤＶＤに代表される記憶媒体である。番組記録部５２は、ハードディスクもしくはＤＶＤに番組映像３２とデータ取得情報３３を合わせて記録することができる。
【００８０】
再生部５８は、第一記憶部５３に記憶された番組映像３２を再生する。
【００８１】
再生内容解析部５４は、再生された番組映像３２に関連付けられたデータ取得情報３３を抽出する。データ取得情報３３は、番組映像３２もしくは所定の映像を特定する番組識別子３４と付加データ提供装置アドレス３５を含む。
通信部５５は、番組識別子３４と付加データ提供装置アドレス３５と自らのアドレスを含む情報を、付加データ提供装置２０に送信し、付加データ提供装置２０から付加データを受信する。付加データは、番組識別子３４と関連付けられている。
データ記録部５６は、付加データを第二記憶部５７に記録する。
第二記憶部５７は、付加データを記憶する。第二記憶部５７は、ハードディスクに例示される。
表示部５９は、再生部５８で再生された映像もしくはデータを表示する。表示部５９は、モニターに例示される。
【００８２】
データ実行部６０は、付加データを読み出して実行する。付加データは、表示部５９の表示を制御するプログラム、録画編集部６１で使用されるプログラム、録画予約部６２で使用されるプログラムのいずれかの場合がある。
【００８３】
録画編集部６１は、データ実行部６０から受信した画像編集用プログラムを使用して、第一記憶部５３に記憶されている番組映像を編集することができる。
録画予約部６２は、データ実行部６０から受信した録画用プログラムを使用して、番組の予約をすることができる。
【００８４】
本実施例では、番組映像が再生されることで付加データを得ることができる。このため、上記で説明されたように、付加データが時期により変更される場合に、再生時期に合わせて、適時に、付加データが供給されるため好ましい。
さらに、視聴者は、番組映像を再生しないと、付加データが得られない場合がある。このため、有効なもしくは魅力的な付加データを配信すれば、視聴者が番組を見る機会が増加する。視聴者が録画した番組映像を見ることは、スポンサのＣＭを見る機会が増加し、コマーシャルの効果が上がるため好ましい。
【００８５】
次に、図５を参照して、実施の形態２の録画映像付加情報提供システムの動作のフローが説明される。
データ放送が受信され、第一記憶部５３に記憶される
再生部５８は、視聴者の再生命令に応答して、番組映像を再生する（Ｓｃ１）。再生内容解析部５４は、再生されているのが録画された番組映像であるか確認する（Ｓｃ２）。録画された画像であるかは、放送されている番組映像との区別をするために行われる。再生内容解析部５４は、再生命令の受信、もしくは再生部５８の稼働の検出により、録画された番組映像が再生されていると判断する場合がある。
録画されていない番組の場合は、再生内容解析部５４はデータ取得情報を取得せず、動作を終了する。録画されている番組の場合、再生内容解析部５４は番組映像と関連付けられたデータ取得情報があるか確認する（Ｓｃ３）。データ取得情報が無い場合、再生内容解析部５４は動作を終了する。データ取得情報がある場合、再生内容解析部５４は、番組識別子３４と付加データ提供装置アドレス３５を抽出して（Ｓｃ４）、通信部５５に送出する。
【００８６】
通信部５５は、付加データ提供装置アドレス３５で特定される付加データ提供装置２０にアクセスして、番組識別子３４と自らのアドレスを含むデータを送信する（Ｓｃ５）。付加データ提供装置２０は、番組識別子３４に対応する付加データを検索し、通信部５５に送信する。通信部５５は、付加データを受信する（Ｓｃ６）。通信部５５は、付加データをデータ記録部５６に送出する。データ記録部５６は、第二記憶部５７に付加データを記録する（Ｓｃ７）。
データ実行部６０は、付加データにプログラムもしくはコマンドがあるか確認する（Ｓｃ８）。コマンドが無い場合、データ実行部６０は、動作を終了する。コマンドがある場合、データ実行部６０は、コマンドを実行する（Ｓｃ９）。
コマンドにより表示部５９の表示の制御、再生部５８の再生の制御、録画編集部６１の編集の実行、録画予約部６２の予約の実行が行われる場合がある。
【００８７】
なお、再生内容解析部５４による解析は、再生開始と同時に行われ、データ実行部６０でのコマンドの実行は再生中に、もしくは再生後に行われる場合がある。
【００８８】
さらに、番組映像が再生されたことを検知して、もしくは所定の映像が再生されたことを検知して、付加データを取得する場合のフローが図６を参照して説明される。図５のフローとの差は、番組映像に付属されたデータ領域に設置されたフラグを再生により通過したことを検知するステップ（Ｓｄ４）が追加される。全てのもしくは特定のフラグが検知されたことで、データ取得情報の抽出もしくは付加データの受信を行う。
【００８９】
データ放送が、第一記憶部５３に記憶される
再生部５８は、視聴者の再生命令に応答して、番組映像を再生する（Ｓｄ１）。再生内容解析部５４は、再生されているのが録画された番組映像であるか確認する（Ｓｄ２）。録画された画像であるかは、放送されている番組映像との区別をするために行われる。再生内容解析部５４は、再生命令の受信、もしくは再生部５８の稼働の検出により、録画された番組映像が再生されていると判断する場合がある。
録画されていない番組の場合は、再生内容解析部５４はデータ取得情報を取得せず、動作を終了する。録画されている番組の場合、再生内容解析部５４は番組映像と関連付けられたデータ取得情報があるか確認する（Ｓｄ３）。データ取得情報が無い場合、再生内容解析部５４は動作を終了する。データ取得情報がある場合、再生内容解析部５４は、再生により全てのフラグもしくは所定のフラグを通過したか確認する（Ｓｄ４）。全てのフラグもしくは所定のフラグを通過していない場合、再生内容解析部５４は動作を終了する。全てのフラグもしくは所定のフラグを通過した場合、再生内容解析部５４は番組識別子３４と付加データ提供装置アドレス３５を抽出して（Ｓｄ５）、通信部５５に送出する。
【００９０】
通信部５５は、付加データ提供装置アドレス３５で特定される付加データ提供装置２０にアクセスして、番組識別子３４と自らのアドレスを含むデータを送信する（Ｓｄ６）。付加データ提供装置２０は、番組識別子３４に対応する付加データを検索し、通信部５５に送信する。通信部５５は、付加データを受信する（Ｓｄ７）。通信部５５は、付加データをデータ記録部５６に送出する。データ記録部５６は、第二記憶部５７に付加データを記録する（Ｓｃ８）。
データ実行部６０は、付加データにプログラムもしくはコマンドがあるか確認する（Ｓｄ９）。コマンドが無い場合、データ実行部６０は、動作を終了する。コマンドがある場合、データ実行部６０は、コマンドを実行する（Ｓｃ１０）。
【００９１】
図７に、フラグの付け方の例が示される。
図７（ａ）は、フラグ７３−１〜７３−４を、番組映像の全体に配置して、視聴者が番組を始めから終わりまで視聴したか検知する場合の例を示す。データ放送７０は、映像領域７１とデータ領域７２を含み、フラグ７３−１〜７３−４は、データ領域に分散して配置される。番組映像は再生されると共にフラグ７３−１〜７３−４が検知される。フラグ７３−１〜７３−４の位置は、視聴者には不明で、どこでフラグ７３−１〜７３−４を通過しているかわからない。このため、視聴者が早送りをして、画像の再生が飛んだ場合に、フラグ７３−１〜７３−４を検知しない場合がある。これにより、視聴者が番組映像を、概ね最初から最後まで視聴したか検知することができる。フラグ７３−１〜７３−４が付けられていないデータ領域７４−１〜７４−３は、他のデータコンテンツにより使用可能である。
【００９２】
図７（ｂ）は、フラグ７８−１〜７８−４を、番組映像に含まれるＣＭの領域７６−１〜７６−４に配置して、視聴者がＣＭを視聴したか検知する場合の例を示す。データ放送７０’は、映像領域７５とデータ領域７７を含む。映像領域７５は、番組領域８０−１〜８０−３と、その間にＣＭ領域７６−１〜７６−４が挿入されている。フラグ７８−１〜７８−４は、ＣＭ領域７６−１〜７６−４に対応してして配置される。
番組映像のＣＭ領域７６−１〜７６−４が再生されると共にフラグ７８−１〜７８−４が検知される。このため、視聴者が早送りをして、ＣＭ領域７６−１〜７６−４の再生が飛んだ場合に、フラグ７８−１〜７８−４を検知しない場合がある。これにより、視聴者がＣＭを視聴したか検知することができる。フラグ７８−１〜７８−４が付けられていないデータ領域７９−１〜７９−３は、他のデータコンテンツにより使用可能である。
【００９３】
なお、データ領域７７の始めには、フラグの数とフラグを検知するプログラムと、フラグを検知した場合に、データ取得情報を抽出できるプログラムが付属される場合がある。
さらに、フラグの変わりに、付加データ提供装置２０にアクセスするためのパスワードが分散されて配置される場合がある。もしくは、フラグの変わりに、データ取得情報の一部もしくは全部が分散されて配置される場合がある。
【００９４】
上記のように再生状況を検知して、付加データを提供することは、ＣＭなどの効果を確保するために好ましい。
【００９５】
なお、データ取得情報は、番組映像の放送とリアルタイムに連動したデータと共に放送されてもよい。この場合、データ取得情報には再生用のデータである印が付けられることが好ましい。また、データ領域の始めに、再生されているか判断するためのプログラムと、再生されている場合データ取得情報を抽出するためのプログラムが付属され、録画内容解析部１４もしくは再生内容解析部５４で実行される場合がある。
【００９６】
（実施の形態３）
次に、上記の録画映像付加情報提供システムを使用したビジネス形態が図８を参照して説明される。
【００９７】
放送局１３０は、実施の形態１、２の放送局３０に相当する。
放送局１３０は、番組映像とデータ情報を含むデータ放送ａ１を放送する。ここで、データ情報は、データ取得情報を含む。データ取得情報は、番組映像を特定する番組識別子と課金・ＩＤ認証部門（端末）１５０のアドレスを含む。放送局１３０は、スポンサ１４０−１からのスポンサ料ａ１６を使用して、番組を制作し放送する場合がある。
【００９８】
受信録画再生装置１１０は、実施の形態１、２の受信録画再生装置１０、５０に相当する。
受信録画再生装置１１０は、データ放送ａ１を受信して、録画、再生を行う。
受信録画再生装置１１０は、データ放送ａ１が録画された画像１１１か、未録画の画像１１２か判断する。未録画１１２の場合、受信録画再生装置１１０は、付加データの取得のための動作を行わない。
さらに、録画された画像１１１の場合、受信録画再生装置１１０は、データ取得情報を抽出して、解析する。受信録画再生装置１１０は、課金・ＩＤ・認証部門１５０に視聴者識別子（もしくは受信録画再生装置のアドレス；以下同じ）、番組識別子、課金情報ａ２を送信する。課金情報は、視聴者の銀行口座から料金を引き落とすための情報を含む。さらに、課金情報は、課金する金額情報を含む。金額情報は、データ取得情報に含まれる。
【００９９】
課金・ＩＤ・認証部門（端末）１５０と付加データ提供部門（端末）１２０は、実施の形態１、２の付加データ提供装置２０に相当する。
課金・ＩＤ・認証部門（端末）１５０は、受信録画再生装置１１０から受信した課金情報を、銀行（端末）１８０に送信し所定の振込を受ける。さらに、視聴者識別子、番組識別子ａ５を、付加データ提供部門（端末）１２０に送信し、番組識別子に関連付けられた付加データを、視聴者識別子で特定される受信録画再生装置１１０へ送信するように依頼する。
なお、課金・ＩＤ・認証部門（端末）１５０が、データコンテンツ購入・作成料ａ６を、データコンテンツ作成部門（端末）１６０へ支払う場合がある。
付加データ提供部門（端末）１２０は、課金・ＩＤ・認証部門（端末）１５０から視聴者識別子、番組識別子ａ５を受信し、番組識別子に関連付けられた付加データを、視聴者識別子で特定される受信録画再生装置１１０へ送信する。
受信録画再生装置１１０は、ネットワークを介して付加データを受信し、実行する。
付加データ提供部門１２０は、付加データとしての情報ａ１４を情報提供部門（端末）１７０から受信して、情報料ａ１３を支払う場合がある。また、付加データ提供部門（端末）１２０は、付加データとしてのデータコンテンツａ８を、データコンテンツ作成部門（端末）１６０から受信し、受信録画再生装置１１０へ提供したデータコンテンツに応じて提供委託料ａ７を受領する場合がある。
【０１００】
データコンテンツ作成部門（端末）１６０は、付加データを作成する部門である。データコンテンツ作成部門（端末）１６０は、スポンサ１４０−２からのスポンサ料ａ１５もしくは課金・ＩＤ・認証部門（端末）１５０からのデータコンテンツ購入・作成料ａ６を受信する。さらに、データコンテンツ作成部門（端末）１６０は、放送局１３０に番組コンテンツを使用するための使用料ａ９を支払い、番組コンテンツの使用権を得る。データコンテンツ作成部門のデータコンテンツ作成者は、番組コンテンツの情報からデータコンテンツを作成し、データコンテンツ作成部門（端末）１６０から付加データ提供部門（端末）１２０に送信する。
【０１０１】
情報提供部門（端末）１７０は、番組の制作や情報を送信する。情報提供部門（端末）１７０は、放送局１３０に情報ａ１１を提供することで、情報料ａ１２を受領する場合がある。さらに、情報提供部門（端末）１７０は、付加データ提供部門（端末）１２０に情報を提供ａ１４することで、情報料ａ１３を受領する場合がある。
【０１０２】
なお、スポンサ（端末）１４０−２からデータコンテンツ作成部門（端末）１６０へのスポンサ料ａ１５の支払い、課金・ＩＤ・認証部門（端末）１５０からデータコンテンツ作成部門（端末）１６０へのデータコンテンツ購入・作成料ａ６の支払い、付加データ提供部門（端末）１２０から情報提供部門（端末）１７０への情報料ａ１３の支払いは、付加データ提供部門（端末）１２０から受信録画再生装置１１０に提供された付加データａ３に応じて、付加データ提供部門（端末）１２０の集計により自動的に行われる場合がある。
【０１０３】
（実施の形態４）
さらに、上記の録画映像付加情報提供システムを使用した別のビジネス形態が図９を参照して説明される。
【０１０４】
放送局２３０は、実施の形態１、２の放送局３０に相当する。
放送局２３０は、番組映像とデータ情報を含むデータ放送ｂ１を放送する。ここで、データ情報は、データ取得情報を含む。データ取得情報は、番組映像を特定する番組識別子と付加データ作成提供部門（端末）２２０のアドレスを含む。放送局２３０は、スポンサ２４０からのスポンサ料ｂ６を使用して、番組を制作し放送する場合がある。
【０１０５】
受信録画再生装置２１０は、実施の形態１、２の受信録画再生装置１０、５０に相当する。
受信録画再生装置２１０は、データ放送ｂ１を受信して、録画、再生を行う。
受信録画再生装置２１０は、データ放送ｂ１が録画された画像２１１か、未録画２１２の画像２１２か判断する。未録画２１２の場合、受信録画再生装置２１０は、付加データの取得のための動作を行わない。
さらに、録画された画像２１１の場合、受信録画再生装置２１０は、データ取得情報を抽出して、解析する。受信録画再生装置２１０は、付加データ作成提供部門（端末）２２０に視聴者識別子（もしくは受信録画再生装置のアドレス；以下同じ）、番組識別子ｂ２を送信する。
【０１０６】
付加データ作成提供部門（端末）２２０は、実施の形態１、２の付加データ提供装置２０に相当する。
付加データ作成提供部門（端末）２２０は、放送局（端末）２３０に番組コンテンツ使用料ｂ５を支払い、番組コンテンツ使用権ｂ４を受ける。付加データ作成者は、番組コンテンツを使用して付加データを作成し、付加データ作成提供部門（端末）２２０に記録する。付加データ作成提供部門（端末）２２０は、スポンサ２４０からのスポンサ料ｂ７を受領する。
付加データ作成提供部門（端末）２２０は、受信録画再生装置２１０から受信した、視聴者識別子、番組識別子ｂ２に応答して、付加データを受信録画再生装置２１０に送信する。受信録画再生装置２１０は、ネットワークを介して付加データを受信し、実行する。
【０１０７】
なお、スポンサ（端末）２４０から付加データ作成提供部門（端末）２２０に支払われるスポンサ料ｂ７は、受信録画再生装置２１０へ送信が依頼された付加データの数に応じて、自動的に支払われる場合がある。
【０１０８】
なお、上記の（実施の形態３）（実施の形態４）のような録画映像付加情報提供システムを使用することで、データ放送を録画した視聴者に特典として付加データを提供し、視聴者によるデータ放送の録画を促進することができる。このため、結果として、その番組の視聴率が向上する。このため、番組に含まれるコマーシャルの効果が向上する。さらに、録画されることを目的とした番組であれば、放送時間の制限が少なく、放送料金が安い時間帯に放送することができる。
またＤＶＤ映像ソフトにデータ取得情報を付加すれば、特典として視聴者は付加データを得ることができ、ＤＶＤ映像ソフトの販売促進となる。
さらに、付加データは、時期の制限があるデータでも、その時期に合わせて提供できるため、付加データ提供者は時期に合わせて好適なデータを提供することができる。さらに、視聴者は、期限切れのデータなどではなく、有効なデータを取得することができる。
【０１０９】
【発明の効果】
本発明の録画映像付加情報提供システムは、記録された映像に、付加的なデータを提供することができる。
本発明の別の形態の録画映像付加情報提供システムは、再生された時期に合わせて、記録された映像に付加的なデータを提供することができる。
本発明のさらに別の形態の録画映像付加情報提供システムは、放送された映像が記録された場合に付加的なデータが提供されることで、映像が記録されることを促進することができる。
【図面の簡単な説明】
【図１】図１は、実施の形態１における録画映像付加情報提供システムの構成を示す。
【図２】図２は、録画映像付加情報提供システムの動作のフローを示す。
【図３】図３は、データ放送に含まれるデータ構成を示す。
【図４】図４は、実施の形態２における録画映像付加情報提供システムの構成を示す。
【図５】図５は、実施の形態２の録画映像付加情報提供システムの動作のフローを示す。
【図６】図６は、実施の形態２の別の形態の録画映像付加情報提供システムの動作のフローを示す。
【図７】図７は、フラグの付け方を示す。
【図８】図８は、録画映像付加情報提供システムを使用したビジネス形態を示す。
【図９】図９は、録画映像付加情報提供システムを使用した別のビジネス形態を示す。
【符号の説明】
１０  受信録画再生装置
１１  放送受信部（チューナ）
１２  番組記録部
１３  第一記憶部
１４  録画内容解析部
１５  通信部
１６  データ記録部
１７  第二記憶部
１８  同期再生部
１９  表示部
２０  付加データ提供装置
２１  インターフェイス部
２２  付加データ記憶部
３０  放送局
４０  ネットワーク
５０  受信録画再生装置
５１  放送受信部（チューナ）
５２  番組記録部
５３  第一記憶部
５４  再生内容解析部
５５  通信部
５６  データ記録部
５７  第二記憶部
５８  再生部
５９  表示部
６０  データ実行部
６１  録画編集部
６２  録画予約部
７０  データ放送
７１  映像領域
７２  データ領域
７３−１〜７３−４  フラグ
７４−１〜７４−３  （フラグが付けられていない）データ領域
７５  映像領域
７６−１〜７６−４  ＣＭ領域
７７  データ領域
７８−１〜７８−４  フラグ
７９−１〜７９−３  （フラグが付けられていない）データ領域
８０−１〜８０−３  番組領域
１１０  受信録画再生装置
１１１  録画された画像
１１２  未録画の画像
１２０  付加データ提供部門（端末）
１３０  放送局
１４０−１、１４０−２  スポンサ
１５０  課金・ＩＤ認証部門（端末）
１６０  データコンテンツ作成部門（端末）
１７０  情報提供部門（端末）
１８０  銀行（端末）
２１０  受信録画再生装置
２１１  録画された画像
２１２  未録画の画像
２２０  付加データ作成提供部門（端末）
２３０  放送局
２４０  スポンサ
【図１】
2004304405.tif 000003
【図２】
2004304405.tif 000004
【図３】
2004304405.tif 000005
【図４】
2004304405.tif 000006
【図５】
2004304405.tif 000007
【図６】
2004304405.tif 000008
【図７】
2004304405.tif 000009
【図８】
2004304405.tif 000010
【図９】
2004304405.tif 000011